(57)【要約】【課題】複数の駆動モードを有する表示装置に対して、駆動モードの違いによって生じる表示色の差異の軽減を可能にする画像処理装置、画像処理装置の制御方法及び画像表示装置を提供する。【解決手段】画像処理装置は、複数の駆動モードを有し、動画像を表示する場合に第１の駆動モードで動作し、静止画像を表示する場合に第２の駆動モードで動作する表示部に対し、画像データを出力する画像処理装置であって、入力画像が動画像であるか静止画像であるか判定する判定部と、判定部が入力画像データに基づく画像は動画像であると判定した場合に第１の駆動モードに対応する第１のパラメータを選択し、判定部が画像は静止画像であると判定した場合に第２の駆動モードに対応する第２のパラメータを選択する制御部と、制御部が選択したパラメータによって入力画像データに補正処理を施し、補正処理を施した入力画像データを表示部に出力する処理部と、を備える。【選択図】図１
2017122839.tif 000002
【特許請求の範囲】
【請求項１】
複数の駆動モードを有し、動画像を表示する場合に第１の駆動モードで動作し、静止画像を表示する場合に第２の駆動モードで動作する表示部に対し、画像データを出力する画像処理装置であって、
入力画像データに基づく画像が動画像であるか静止画像であるか判定する判定部と、
前記判定部が前記入力画像データに基づく画像は動画像であると判定した場合に前記入力画像データの補正処理に用いるパラメータとして前記第１の駆動モードに対応する第１のパラメータを選択し、前記判定部が前記画像は静止画像であると判定した場合に前記入力画像データの補正処理に用いるパラメータとして前記第２の駆動モードに対応する第２のパラメータを選択する制御部と、
前記制御部が選択したパラメータによって前記入力画像データに補正処理を施し、前記補正処理を施した前記入力画像データを前記表示部に出力する処理部と、
を備えることを特徴とする画像処理装置。
【請求項２】
前記第２の駆動モードは前記第１の駆動モードよりも消費電力が低い
ことを特徴とする請求項１に記載の画像処理装置。
【請求項３】
前記第２の駆動モードは前記第１の駆動モードよりもリフレッシュレートが低い
ことを特徴とする請求項１または請求項２に記載の画像処理装置。
【請求項４】
前記複数の駆動モードのうちの一つの駆動モードを前記第２の駆動モードとしてユーザに選択させる操作受付部を備える
ことを特徴とする請求項１から請求項３の何れか１項に記載の画像処理装置。
【請求項５】
前記複数の駆動モードは消費電力またはリフレッシュレートが異なる
ことを特徴とする請求項１から請求項４の何れか１項に記載の画像処理装置。
【請求項６】
前記判定部は、前記入力画像データに基づく画像の動きの有無を検出することにより、前記画像が動画像であるか静止画像であるか判定する
ことを特徴とする請求項１から請求項５の何れか１項に記載の画像処理装置。
【請求項７】
前記判定部は、前記入力画像データの現フレームの各画素と現フレームの一つ前のフレームである過去フレームの各画素とを比較し、対応する各画素間の差分の有無によって前記入力画像データに基づく画像が動画像であるか静止画像であるか判定する
ことを特徴とする請求項１から請求項６の何れか１項に記載の画像処理装置。
【請求項８】
前記補正処理は前記駆動モードの違いによって生じる前記表示部の表示色の違いを補正する補正処理である
ことを特徴とする請求項１から請求項７の何れか１項に記載の画像処理装置。
【請求項９】
前記判定部は、判定結果を前記表示部に出力し、
前記表示部は、前記判定結果に基づいて前記駆動モードを切り替える
ことを特徴とする請求項１から請求項８の何れか１項に記載の画像処理装置。
【請求項１０】
請求項１から請求項９の何れか１項に記載の画像処理装置と、
前記画像処理装置が前記補正処理を施した前記入力画像データに基づく画像を表示する表示部と、
を備えることを特徴とする画像表示装置。
【請求項１１】
複数の駆動モードを有し、動画像を表示する場合に第１の駆動モードで動作し、静止画像を表示する場合に第２の駆動モードで動作する表示部に対し、画像データを出力する画像処理装置の制御方法であって、
入力画像データに基づく画像が動画像であるか静止画像であるか判定する判定ステップと、
前記判定ステップにおいて前記前記入力画像データに基づく画像は動画像であると判定された場合に前記入力画像データの補正処理に用いるパラメータとして前記第１の駆動モードに対応する第１のパラメータを選択し、前記判定ステップにおいて前記画像は静止画像であると判定された場合に前記入力画像データの補正処理に用いるパラメータとして前記第２の駆動モードに対応する第２のパラメータを選択する制御ステップと、
前記制御ステップにおいて選択されたパラメータによって前記入力画像データに補正処理を施し、前記補正処理を施した前記入力画像データを前記表示部に出力する処理ステップと、
を含むことを特徴とする画像処理装置の制御方法。
【請求項１２】
前記第２の駆動モードは前記第１の駆動モードよりも消費電力が低い
ことを特徴とする請求項１１に記載の画像処理装置の制御方法。
【請求項１３】
前記第２の駆動モードは前記第１の駆動モードよりもリフレッシュレートが低い
ことを特徴とする請求項１１または請求項１２に記載の画像処理装置の制御方法。
【請求項１４】
前記複数の駆動モードのうちの一つの駆動モードを前記第２の駆動モードとしてユーザに選択させる操作受付ステップを含む
ことを特徴とする請求項１１から請求項１３の何れか１項に記載の画像処理装置の制御方法。
【請求項１５】
前記複数の駆動モードは消費電力またはリフレッシュレートが異なる
ことを特徴とする請求項１１から請求項１４の何れか１項に記載の画像処理装置の制御方法。
【請求項１６】
前記判定ステップでは、前記入力画像データに基づく画像の動きの有無を検出することにより、前記画像が動画像であるか静止画像であるか判定される
ことを特徴とする請求項１１から請求項１５の何れか１項に記載の画像処理装置の制御方法。
【請求項１７】
前記判定ステップでは、前記入力画像データの現フレームの各画素と現フレームの一つ前のフレームである過去フレームの各画素とが比較され、対応する各画素間の差分の有無によって前記入力画像データに基づく画像が動画像であるか静止画像であるか判定されることを特徴とする請求項１１から請求項１６の何れか１項に記載の画像処理装置の制御方法。
【請求項１８】
前記補正処理は前記駆動モードの違いによって生じる前記表示部の表示色の違いを補正する補正処理である
ことを特徴とする請求項１１から請求項１７の何れか１項に記載の画像処理装置の制御方法。
【請求項１９】
前記判定ステップでは、判定結果を前記表示部に出力し、
前記表示ステップでは、前記判定結果に基づいて前記駆動モードを切り替える
ことを特徴とする請求項１１から請求項１８の何れか１項に記載の画像処理装置の制御方法。
【請求項２０】
請求項１１から請求項１９の何れか１項に記載の画像処理装置の制御方法の各ステップをコンピュータに実行させることを特徴とするプログラム。
【発明の詳細な説明】
【技術分野】
【０００１】
本発明は、画像処理装置、画像処理装置の制御方法及び画像表示装置に関する。
【背景技術】
【０００２】
映画制作では、撮影後にポストプロダクションと呼ばれる画像編集作業がある。この中にカラーグレーディングと呼ばれる工程がある。この工程では繋ぎ合わせる複数シーンの色調合わせや、カメラマンや監督の考える色彩へ合致するようにカラリストが調整を行なう。この工程では、ディスプレイやプロジェクタといった画像装置の発色する色精度が非常に重要になる。そのため通常、画像装置は、色域、輝度、色温度、ガンマカーブなどを、所定の目標値に正確に校正してある。映画制作における規格としてＤＣＩ（Ｄｉｇｉｔａｌ  Ｃｉｎｅｍａ  Ｉｎｉｔｉａｔｉｖｅ）規格が知られており、たとえば画像装置は、前記規格値を目標値として校正してある。
【０００３】
また近年、画像装置として液晶ディスプレイが普及しており、映画制作現場でもその使用率は高い。これら液晶ディスプレイの主な液晶パネル制御方式にアクティブマトリクス制御方式がある。このアクティブマトリクス制御方式について、図９を用いて説明する。アクティブマトリクス方式を採用する液晶ディスプレイは、画面上の各画素を制御するためにスキャンラインとデータラインをそれぞれ持つ。各画素（図９の画素Ａ）を制御するには、まず交差するスキャンライン（図９のａ１）に電圧を加え、各画素のアクティブ素子を有効にする。次にデータライン（図９のａ２）に画像信号に従った所定の電圧を加えることで、各画素のアクティブ素子に所定の電圧を印加する。この印加電圧により、各画素が所望の表示となる。スキャンラインの電圧が印加されていない場合は、アクティブ素子は無効となり、有効時に加えられた電圧を保持するが、時間経過とともに放電されるため、定期的に電圧を再印加する必要がある。本明細書では以下、この電圧の再印加をリフレッシュと呼び、リフレッシュ開始から次のリフレッシュ開始までの間隔をリフレッシュ周期、単位時間当たりのリフレッシュ回数をリフレッシュレートと呼ぶ。
【０００４】
一方、液晶パネルの技術発展により、近年、画素データ保持性能の高い液晶ディスプレイが登場してきている。特徴として、静止画像など画素の更新が不要な画像の場合、一定の期間、電圧の再印加を休止することができ、表示の更新周期を動画像の場合のリフレッシュ周期より長くすることが可能である。これにより、静止画像などを再生する際には、液晶ディスプレイを電力消費を減らした駆動モードで動作させることができる。このような技術には、特許文献１が挙げられる。特許文献１の液晶ディスプレイのように、リフレッシュ周期を長くすると消費電力低減の効果が高くなるが、一方で過度に長くするとフリッカ等の副作用が生じやすい。そのため今後は、複数の駆動モードを設け、ユーザが適宜選択できるディスプレイが登場してくることが予想される。
【０００５】
ところで、アクティブマトリクス制御方式では、電圧印加目的の画素（図９の画素Ａ）以外に、隣接する画素（図９の画素Ｂ、画素Ｃ）も影響を受けて電圧が変化する。この電圧変化により画素上の液晶透過率が極微小に変動するため、リフレッシュレートが大きく異なるモードが複数あると、モードの間で色の再現性が低下する。
駆動モードの変化に伴う色の変化を補正する技術として特許文献２が挙げられる。特許文献２は、リフレッシュレートが変わっても、スキャンラインの信号の幅を維持することで色の維持を図っている。
【先行技術文献】
【特許文献】
【０００６】
【特許文献１】特開平７−１２１１３３号公報
【特許文献２】特開２０１１−５９６４８号公報
【発明の概要】
【発明が解決しようとする課題】
【０００７】
しかしながら、特許文献２の方法は、有機電解発光型の画像装置において、リフレッシュレートを変化させると、画素のそれぞれに含まれるキャパシタ電圧の充電時間が変化するために色度が変わってしてしまうことに対する解決方法である。この技術は、特許文献２のようにデータ保持用のキャパシタを備え、キャパシタの充電電圧に応じた輝度を発する光源を備える表示装置に適用することはできるが、特許文献２とは構成が異なる表示装置には適用することができない。
本発明は、複数の駆動モードを有する表示装置に対して、駆動モードの違いによって生じる表示色の差異の軽減を可能にする画像処理装置、画像処理装置の制御方法及び画像表示装置を提供することを目的とする。
【課題を解決するための手段】
【０００８】
本発明の第一態様は、複数の駆動モードを有し、動画像を表示する場合に第１の駆動モードで動作し、静止画像を表示する場合に第２の駆動モードで動作する表示部に対し、画像データを出力する画像処理装置であって、
入力画像データに基づく画像が動画像であるか静止画像であるか判定する判定部と、
前記判定部が前記入力画像データに基づく画像は動画像であると判定した場合に前記入力画像データの補正処理に用いるパラメータとして前記第１の駆動モードに対応する第１のパラメータを選択し、前記判定部が前記画像は静止画像であると判定した場合に前記入力画像データの補正処理に用いるパラメータとして前記第２の駆動モードに対応する第２のパラメータを選択する制御部と、
前記制御部が選択したパラメータによって前記入力画像データに補正処理を施し、前記補正処理を施した前記入力画像データを前記表示部に出力する処理部と、
を備えることを特徴とする画像処理装置を提供する。
【０００９】
本発明の第二態様は、
複数の駆動モードを有し、動画像を表示する場合に第１の駆動モードで動作し、静止画像を表示する場合に第２の駆動モードで動作する表示部に対し、画像データを出力する画像処理装置の制御方法であって、
入力画像データに基づく画像が動画像であるか静止画像であるか判定する判定ステップと、
前記判定ステップにおいて前記前記入力画像データに基づく画像は動画像であると判定された場合に前記入力画像データの補正処理に用いるパラメータとして前記第１の駆動モードに対応する第１のパラメータを選択し、前記判定ステップにおいて前記画像は静止画像であると判定された場合に前記入力画像データの補正処理に用いるパラメータとして前記第２の駆動モードに対応する第２のパラメータを選択する制御ステップと、
前記制御ステップにおいて選択されたパラメータによって前記入力画像データに補正処理を施し、前記補正処理を施した前記入力画像データを前記表示部に出力する処理ステップと、
を含むことを特徴とする画像処理装置の制御方法を提供する。
【００１０】
本発明の第三態様は、本発明に係る画像処理装置と、
前記画像処理装置が前記補正処理を施した前記入力画像データに基づく画像を表示する表示部と、
を備えることを特徴とする画像表示装置を提供する。
【００１１】
本発明の第四態様は、本発明に係る画像処理装置の制御方法の各ステップをコンピュータに実行させることを特徴とするプログラムを提供する。
【発明の効果】
【００１２】
本発明によれば、複数の駆動モードを有する表示装置に対して、駆動モードの違いによって生じる表示色の差異の軽減を可能にする。
【図面の簡単な説明】
【００１３】
【図１】画像表示装置１００の構成の一例を示す図。
【図２】３Ｄ‐ＬＵＴの一例を示す表。
【図３】３Ｄ‐ＬＵＴの入出力関係の一例を色空間上に示す図。
【図４】液晶パネル駆動の一例を示す表。
【図５】本実施例に係る消費電力設定モード、駆動モードの一例を示す表。
【図６】動き判定部１０３の構成の一例を示す詳細図。
【図７】動き判定部１０３の処理の一例を示すフロー図。
【図８】画像表示装置１００の処理の一例を示すフロー図。
【図９】アクティブマトリクス制御方式の説明図。
【発明を実施するための形態】
【００１４】
（装置構成）
以下、本発明の実施例について説明する。本発明の実施例では、画像表示装置として液晶ディスプレイ装置を例に挙げて、以下に具体的に説明する。
図１は、本発明の実施例１に係る画像表示装置１００の構成図である。画像表示装置１００は、画像処理装置１５０と表示パネル部１０５を備える。さらに画像処理装置１５０は、画像入力部１０２、動き判定部１０３、ＬＵＴ処理部１０４、ＬＵＴ情報保持部１０６、ユーザ操作受付部１０７、パネル情報保持部１０８、パネル‐ＬＵＴ対応情報保持部１０９、及び制御部１１０を備える。画像表示装置１００の各部は、各々内部バス１０１によって接続されており、制御部１１０の制御によって動作し、相互にデータを送受信することができる。なお、ＬＵＴは後述するルックアップテーブル（Ｌｏｏｋ  Ｕｐ  Ｔａｂｌｅ）の略である。
【００１５】
画像入力部１０２は、外部の画像データサーバや、外部の画像編集装置からの画像データが入力される入力部である。画像入力部１０２は、具体的にはＤＶＩ（登録商標）、Ｄｉｓｐｌａｙｐｏｒｔ（登録商標）、ＨＤＭＩ（登録商標）、ＳＤＩなどのストリーム形式の画像データが入力されるインターフェースである。画像入力部１０２は、画像データを画像表示装置１００内部で処理するための信号形式に変換し、後段の動き判定部１０３へ出力する。外部から入力される画像データには、ＲＧＢ、ＹＵＶ、ＸＹＺなど複数の信号形式があり、ここではいずれもＲＧＢの信号形式に変換される。
【００１６】
動き判定部１０３は、画像入力部１０２より入力された画像データに基づく画像が動画像であるか静止画像であるか判定する。本実施例では、入力画像データの現フレームの各画素と現フレームの一つ前のフレームである過去フレームの各画素とを比較し、対応する各画素間の差分の有無によって前記入力画像データに基づく画像が動画像であるか静止画像であるか判定する。動き判定の結果はフレーム毎に、制御部１１０へ出力される。なお、動き判定処理の詳細は後述する。なお、本実施例では動き判定の具体的な方法の一例としてフレーム間の各画素の差分を求めたが、入力画像データに基づく画像の動きの有無を検出するなど他の方法であっても構わない。動き判定の実施後、画像データはＬＵＴ処理部１０４へ出力される。
【００１７】
ＬＵＴ処理部１０４は、ＬＵＴを用いて、表示パネル１０５のリフレッシュレートの違
いによって生じる色の差異の補正処理を行う。ＬＵＴの詳細は後述するが、本実施例ではＬＵＴは前述した色の差異を補正するため入力画像データの補正処理に用いるパラメータであるとして説明する。具体的にＬＵＴ処理部１０４は、ＬＵＴ情報保持部１０６に保存されている複数のＬＵＴから、制御部１１０のＬＵＴ切替指示に従って所定のＬＵＴを選択し、選択したＬＵＴを用いて入力された画像データの補正処理を行う。ＬＵＴには、一般的に１次元のＬＵＴ（以下、１Ｄ‐ＬＵＴと記載）や３次元のＬＵＴ（以下、３Ｄ‐ＬＵＴと記載）がある。ＬＵＴ処理部１０４は、制御部１１０からのＬＵＴ切替指示に従って色補正処理を行うために３Ｄ‐ＬＵＴを取得する。ＬＵＴ切替の詳細は後述する。なお、ＬＵＴ処理部１０４は、上述の色補正処理の他、階調や色域の補正処理を行ってもよい。階調補正処理の精度を高めるために３Ｄ‐ＬＵＴの他、１Ｄ‐ＬＵＴを別途備えても良い。ＬＵＴ処理部１０４は、補正処理を施した画像データを表示パネル部１０５へ出力する。
【００１８】
上述した３Ｄ‐ＬＵＴの例を図２に示す。図２は、３Ｄ‐ＬＵＴを表として表したものである。このＬＵＴでは、画像データの各色がＲＧＢ色空間上の値（以下「ＲＧＢ値」と呼ぶ）として表現されている。このＬＵＴによって、「入力」列に記載されている画像データの色を表す値が、「出力」列に記載されている画像データの色の値に変換される。ここでは、ＬＵＴのＲＧＢ成分３方向の各格子点数を９とした。格子点間の距離はＲＧＢ値にして１２８ずつ等間隔である。また、各格子点のＲＧＢ値を１０ｂｉｔ整数値で表した。図２に記載されていない中間の画像データが入力された場合は、各格子点のデータから補間された結果が出力される。この補間方法には、例えば隣接する複数の格子点を用いた線形補間などがある。
図３は、図２を具体的な空間イメージで表したものである。図中のＲＧＢ各軸に垂直に等間隔で引いた線の交差する点が、上述した格子点になる。図３の格子点に記載されている値は、入力画像データに対応する値であり、図２に記載した「入力」列に記載されている入力画像データの色のＲＧＢ値と合致する。例えば、図２のＬＵＴの処理を行うと、図２の格子点ａ、及び格子点ｂの「入力」の画像データの色（（０，０，１２８）、（０，１２８，１２８））は、それぞれ「出力」の画像データの色（（０，０，１２６）、（０，１２８，１２０））に変換される。図３では、格子点ａ、及び格子点ｂの「入力」の画像データの色のＲＧＢ値を●印で示し、「出力」の画像データの色のＲＧＢ値を▲印で示した。
なお、本実施形態で使用するＬＵＴは、表示パネル部１０５の駆動モードに応じた補正処理を施すために、予め駆動モード毎に作成される。作成の方法は、「入力」列に記載されている画像データの色の数だけ分光輝度計などの測定器で測定し、その結果をＬＵＴとして後述のＬＵＴ情報保持部１０６に格納する。
【００１９】
表示パネル部１０５は、ＬＵＴ処理部１０４から入力された画像データに基づく画像を所定のフレームレートで表示する表示部である。表示パネル部１０５は、液晶パネルとバックライトを有する。バックライトは、たとえば、白色、もしくはＲＧＢのＬＥＤと、種々の光学フィルタから成る。バックライトは、ＬＥＤではなく蛍光管を用いてもよい。また、液晶パネルの一例として、画素データ保持性能の高い酸化物半導体から構成される液晶のパネルが挙げられる。液晶パネルの駆動は、動き判定部１０３の判定結果によって変化する。動き判定部１０３の結果が、動き無しの場合、つまり画像データに基づく画像が静止画像である場合、表示パネル部１０５は、後述の消費電力設定値に対応づけられた駆動モードに基づき、液晶パネルを駆動させる。動き判定部１０３の結果が、動き有りの場合、つまり画像データに基づく画像が動画像である場合、表示パネル部１０５は、後述する消費電力設定モードに関わらず予め設定された通常の駆動モードで、液晶パネルを駆動させる。なお、本実施例では表示パネル部１０５は入力画像データに基づく画像が動画像であるか静止画像であるか動き判定部１０３から判定結果を通知される。しかし、動き判定の機能部を動き判定部１０３とは別体に表示パネル部１０５に内蔵し、表示パネル部１
０５自身が動き判定をしてもよい。すなわち、画像処理装置１５０は、動き判定を独自に行い駆動モードを切り替える表示パネル部１０５と組み合わせることが可能である。
図４に表示パネル部１０５の駆動例を示す。駆動モード１は、所定のリフレッシュレートで常に駆動するモードの例であり、上述の通常駆動モードに相当する。駆動モード２は、駆動モード１に比べ駆動の休止期間を長くし、リフレッシュの間隔を広げている（リフレッシュレートを低下させている）モードの例である。表示パネル部１０５は表示する画像が動画像であるか静止画像であるかによって駆動モード（リフレッシュレート）を変更することができる。表示パネル部１０５が静止画像を表示する場合は、リフレッシュレートを低下させることによって、表示パネル部１０５の消費電力を低減することができる。
ＬＵＴ情報保持部１０６は、ＬＵＴ処理部１０４が使用するための複数のＬＵＴを保持する。ＬＵＴ情報保持部１０６は、ハードディスク、もしくは不揮発の半導体メモリから成る。
【００２０】
ユーザ操作受付部１０７は、ユーザの操作情報が入力され、その情報を制御部１１０に通知する。ユーザ操作受付部１０７は、画像表示装置１００に付随する、たとえばマウスやキーボード、スイッチ、ボタンなどの外部入力手段を操作することによって発生するユーザ操作情報を受け付ける。具体的なユーザ操作情報として、パネルの消費電力設定がある。ユーザは、予め用意された複数の消費電力設定モードから所望のモードを選択することができる。
図５（ａ）は、上述の消費電力設定モードの例である。消費電力設定モードは複数の設定モードを有する。ここでは設定の例として、消費電力設定１、消費電力設定２、通常設定を有するものとする。例えば、消費電力設定１は、表示パネル部１０５の液晶パネルの駆動モードを変えることで、通常設定と比べて約１／４に消費電力を低減させる設定である。同じく、消費電力設定２は、通常設定と比べて約１／２に消費電力を低減させる設定である。ユーザは、消費電力設定モード毎に、通常設定と対比して、およそどの程度の電力の低減効果があるか事前に知っており、上述のユーザ操作情報を入力することによって、図５（ａ）に示した消費電力設定モードのうちの１つを選択する。ただし、表示パネル部１０５のリフレッシュレートを低くすると、フリッカが発生しやすくなるなど弊害もあるため、ユーザは消費電力低減効果との兼ね合いから消費電力設定モードを選択することができる。
【００２１】
パネル特性情報保持部１０８は、パネル特性情報を保持する。具体的には、消費電力設定モード毎に、液晶パネルがどの駆動モードで動作するべきかを示した対応表を保持する。図５（ｂ）にその例を示す。駆動モードによって、対応するリフレッシュレートが一意に決まる。また、リフレッシュレートが変われば、消費電力も変化することになる。パネル特性情報保持部１０８は、ハードディスク、もしくは不揮発の半導体メモリから成る。
パネル-ＬＵＴ対応情報保持部１０９は、駆動モード毎に、ＬＵＴ処理部１０４が取得
すべきＬＵＴの対応表を保持する。図５（ｃ）にその例を示す。パネル-ＬＵＴ対応情報
保持部１０９は、ハードディスク、もしくは不揮発の半導体メモリから成る。なお、本実施形態では、ＬＵＴ情報保持部１０６、パネル特性情報保持部１０８、及びパネル-ＬＵ
Ｔ対応情報保持部１０９を、物理的に別々のものとして記載しているが、同一のハードディスク、もしくは不揮発の半導体メモリであってもよい。
【００２２】
制御部１１０は、画像入力部１０２を介して入力された画像データ、及びユーザ操作受付部１０７を介して入力されたユーザ操作情報を元に、画像表示装置１００の各構成部に制御指示を出す。具体的には、まず動き判定部１０３から、入力された画像データの動きの有無の判定結果が制御部１１０に入力される。画像データに動きが有る場合、制御部１１０は通常の駆動モードを選択する。画像データに動きが無い場合、前記ユーザ操作情報と、パネル特性情報保持部１０８が保持しているパネル特性情報から、駆動モード（リフレッシュレート）を選択する。いずれの場合も、選択された駆動モードが表示パネル部１
０５に設定される。
また、制御部１１０は、動き判定部１０３から取得した動き判定結果と、パネル-ＬＵ
Ｔ対応情報保持部１０９が保持している前記ＬＵＴ対応表から、ＬＵＴ処理部１０４にＬＵＴ切替指示を出す。ＬＵＴ切替処理の詳細は後述する。
【００２３】
画像処理装置１５０は、例えば、ＣＰＵ（プロセッサ）、メモリ、補助記憶装置、入力装置、通信装置などを具備するコンピュータにより構成することができる。図１に示した画像処理装置１５０の各機能は、補助記憶装置に格納されたプログラムをメモリにロードし、ＣＰＵが実行することにより実現される。ただし、画像処理装置１５０の一部又は全部の機能をＡＳＩＣやＦＰＧＡなどの回路で実現することもできる。あるいは、画像処理装置１５０の一部の機能をクラウドコンピューティングや分散コンピューティングにより実現してもよい。
【００２４】
（動き判定の処理）
ここで動き判定部１０３の詳細を説明する。図６は、動き判定部１０３の構成を詳細化した図である。動き判定部１０３は、現フレーム保存部１０３１、過去フレーム保存部１０３２、及びフレーム差分比較部１０３３を備える。
現フレーム保存部１０３１は、画像入力部１０２からの画像データをフレーム単位で保存する。現フレーム保存部１０３１は、書き込み速度の速いＤＲＡＭ等の半導体メモリから成る。
過去フレーム保存部１０３２は、現フレーム保存部１０３１からの画像データをフレーム単位で保存する。過去フレーム保存部１０３２は、現フレーム保存部１０３１と同様に、ＤＲＡＭ等の半導体メモリから成る。
フレーム差分比較部１０３３は、現フレーム保存部１０３１と過去フレーム保存部１０３２に保存されている各フレームの画像データを参照し、フレーム間の対応する画素毎のＲＧＢ値を比較し、差分がないかを判断する。そして、１画素でも差分がある場合は、フレーム差分比較部１０３３は「動き有り」と判定し、差分がない場合は「動き無し」と判定する。そして、その結果を、制御部１１０に通知する。
【００２５】
図７は、動き判定部１０３の処理をフロー図として表したものである。上述の通り、現フレーム保存部１０３１は、画像入力部１０２からの画像データを現フレームとして保存する（ステップＳ１０１）。フレーム差分比較部１０３３は、ステップＳ１０１が完了すると過去フレーム保存部１０３２に過去フレームが保存されているか確認する。保存されていない場合は（ステップＳ１０２：ＮＯ）、現フレームを過去フレーム保存部１０３２へ保存する（ステップＳ１０８）。また、保存されている場合は（ステップＳ１０２：ＹＥＳ）、フレーム差分比較部１０３３は現フレームと過去フレームを参照し、差分がないかを判断する（ステップＳ１０３、ステップＳ１０４）。そして、１画素でも差分がある場合は（ステップＳ１０４：ＹＥＳ）、フレーム差分比較部１０３３は「動き有り」と判定する。差分がない場合は（ステップＳ１０４：ＮＯ）、フレーム差分比較部１０３３は「動き無し」と判定する。そして、フレーム差分比較部１０３３は、その結果を制御部１１０に通知する（ステップＳ１０５、ステップＳ１０６）。その後、現フレーム保存部１０３１の現フレームは過去フレームとして、過去フレーム保存部１０３２へ保存される（ステップＳ１０７）。また、動き判定処理を行った後、画像データは後段のＬＵＴ処理部１０４へ出力される。動き判定部１０３は、ステップＳ１０１〜ステップＳ１０８の処理を、フレーム周期で実行する。したがって、動き判定部１０３はフレーム単位で判定が可能で、ＬＵＴの切り替えもフレーム単位での切り替えが可能となり、時間精度の高い色補正処理が可能となる。なお、動き判定部１０３は、動き判定結果を用いて、後段の表示パネル部１０５の表示サイズに合わせてスケーリング、及びＩ／Ｐ変換処理を行う構成を、更にもっても良い。
【００２６】
（画像処理）
図８は、本発明の実施例に係る画像表示装置１００の画像補正方法を記したフロー図である。画像データが入力されると、動き判定部１０３は、画像データの動き判定を行う（ステップＳ２０１）。動き判定した結果は制御部１１０へ通知される。制御部１１０は、動き判定結果が動き有りの場合（ステップＳ２０２：ＹＥＳ）、前記ＬＵＴ対応表を参照して、通常駆動モードに対応するＬＵＴ（図５（ｃ）では標準ＬＵＴと記載）を選択する。さらに制御部１１０は、選択したＬＵＴへの切替指示をＬＵＴ処理部１０４に出す（ステップＳ２０５）。また、制御部１１０は、動き判定結果が動き無しの場合（ステップＳ２０２：ＮＯ）、ユーザが設定した消費電力設定モード、及び前記パネル特性情報を参照して、該当する駆動モードを取得する。制御部１１０は更に、取得した駆動モードと、前記パネル-ＬＵＴ対応情報から、対応するＬＵＴを選択する（ステップＳ２０４）。その
後、制御部１１０は前記ＬＵＴへの切替指示をＬＵＴ処理部１０４に出す。なお、ステップＳ２０１からステップＳ２０５までのフローの処理は、入力される画像のフレーム周期内で実施される。
【００２７】
上記実施例における画像処理は、内部バス１０１で接続された表示パネル部１０５と画像処理装置１５０を備える画像表示装置１００によって実現されている。しかし、本発明はこの構成に限定される必要はなく、例えば独立に動作する表示装置に対して、表示装置とは別体のコンピュータで実現される画像処理装置１５０を接続し、表示装置に出力する画像データに本発明に係る画像処理を施すことも可能である。
【００２８】
以上、本実施例の画像処理装置、画像処理装置の制御方法及び画像表示装置を説明した。これによれば、表示パネル部１０５のリフレッシュレートの違いによって生じる表示色の違いを補正することができる。
【００２９】
（その他の実施例）  
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００３０】
１０３  動き判定部
１０４  ＬＵＴ処理部
１０５  表示パネル部
１１０  制御部
【図１】
2017122839.tif 000003
【図２】
2017122839.tif 000004
【図３】
2017122839.tif 000005
【図４】
2017122839.tif 000006
【図５】
2017122839.tif 000007
【図６】
2017122839.tif 000008
【図７】
2017122839.tif 000009
【図８】
2017122839.tif 000010
【図９】
2017122839.tif 000011